(57)【要約】【課題】ネックストラップを連結する雄部材と雌部材に軸方向以外の引っ張り力が加わった場合でも、係合を解除できるようにする。【解決手段】雄部材１０は、Ｕ字に形成された舌状の突片１３に半球形の突起１５を設ける。一方、雌部材１１には、前記雄部材１０の突片１３を嵌入する嵌合穴１６に、突片１３の突起１５が嵌まる係止孔１７を設ける。こうすることで、突片１３を嵌合穴１６に嵌入して連結した両部材１０、１１に軸方向以外の力が加わると、雄部材１０が旋回して外れる。このとき、雄部材１０の突片１３は先端がＵ字なので、嵌合穴１６の内壁に当たらない。また、突片１３が旋回し始めると、突片１３の半球形の突起１５が嵌合穴１６の係止孔から外れるので、軸方向以外の引っ張り力が加わった場合でも係合を解除できる。【選択図】図１
2008029470.tif 000002
【特許請求の範囲】
【請求項１】
直方体の一方の面にストラップを取り付ける係止部を形成した雄部材と雌部材とからなり、
前記雄部材は、係止部と対向する他方の面にＵ字に形成された舌状の突片を有し、その突片の両面に、それぞれ、半球形の突起が幅方向中程に設けられたものとし、
一方、雌部材は、係止部と対向する他方の面に、雄部材の突片を挿入する嵌合穴を設けるとともに、前記嵌合穴に挿入した突片の突起が嵌まる係止孔を設けた連結部材。
【請求項２】
上記雄部材の突片の両側に段部を設けた請求項１に記載の連結部材。
【発明の詳細な説明】
【技術分野】
【０００１】
この発明は、ストラップを連結する連結部材に関するものである。
【背景技術】
【０００２】
ストラップの連結部材として、例えば、（特許文献１）に示すものがある。この連結部材は、図４（ａ）のように、連結具１と被連結具２とからなっており、連結具１は、図４（ａ）のように、一方を湾曲させた２本のアーム状の嵌合部材（以下、アーム）３を左右に備えた構成となっている。また、被連結具２は、図４のように、左右に切欠き４を設けた構成となっており、その切欠き４に前記連結具１のアーム３を係合させる。
【０００３】
すなわち、図４（ｂ）のように、連結具１のアーム３を被連結具２の挿入孔５から嵌入すると、アーム３の湾曲が被連結具２の切欠き４に嵌合する。このとき、アーム３を湾曲させたことにより、図４（ｂ）の矢印Ａのように、引張り力が加わると、図４（ｂ）の一点鎖線のように、切欠き４の当接部分６に押されたアーム３が内側に撓み、両者の係合は解除されて抜ける。このように、一定以上の荷重がかかると連結具１が外れるので、携帯電話などを首から吊るすネックストラップに採用すれば、例えば、工場などで機械に携帯電話を引っ掛けても外れるので、首が締め付けられることがなく、事故を未然に防ぐことができるというものである。
【０００４】
【特許文献１】実用新案登録第３０８６７２０号公報
【発明の開示】
【発明が解決しようとする課題】
【０００５】
ところで、上記のものでは、図４（ｂ）の矢印Ａのように、軸方向へ引っ張られた場合は、左右のアーム３が一緒に撓んで係合を解除することができる。しかしながら、例えば、ＢやＣのように軸からずれた力で引っ張られると、一方のアーム３が撓んでも他方のアーム３は撓まない。そのため、撓まないアーム３が引っ掛かって係合を解除できない。このように、一定方向の引っ張り力にしか係合を解除できないと、実際に連結部材に加わる引張り力の向きは軸方向ばかりとは限らないので危険である。
【０００６】
そこで、この発明の課題は、連結部材に軸方向以外の引っ張り力が加わった場合でも、係合を解除できるようにすることである。
【課題を解決するための手段】
【０００７】
上記の課題を解決するため、この発明では、直方体の一方の面にストラップを取り付ける係止部を形成した雄部材と雌部材とからなり、前記雄部材は、係止部と対向する他方の面にＵ字に形成された舌状の突片を有し、その突片の両面に、それぞれ、半球形の突起が幅方向中程に設けられたものとし、一方、雌部材は、係止部と対向する他方の面に、雄部材の突片を挿入する嵌合穴を設けるとともに、嵌合穴に挿入した突片の突起が嵌まる係止孔を設けた構成を採用したのである。
【０００８】
このような構成を採用することにより、雄部材の突片を雌部材の嵌合穴へ挿入し、突片に設けた半球形の突起を嵌合穴の係止孔に嵌めれば両者を係合することができる。このとき、突起は半球形なので、突起の嵌合穴の係止孔への嵌入はスムースにできる。一方、係合した雄部材と雌部材は、軸方向に所定の力で引っ張ると、係止孔に嵌入している突起が外れるので、係合を解除することができる。このとき、突起は、半球形なので嵌合穴からスムースに外れることができる。また、係合中の雄部材と雌部材に、例えば、両者の係合を折り曲げようとするような軸方向以外の力が加わった場合は、雄部材が旋回して外れる。このとき、雄部材の突片は先端がＵ字なので、嵌合穴の内壁に当たらずに旋回することができる。このように、突片が旋回し始めると、突片の半球形の突起が嵌合穴の係止孔から外れて係合を解除する。
【０００９】
このとき、雄部材の突片の両側に段部を設けた構成を採用することができる。
【００１０】
このような構成を採用することにより、突片の両端の段部の立ち上がりは垂直である。そのため、雌部材の嵌合穴に嵌入した際に、嵌合穴の内壁に接してガタ付きを生じないようにするとともに、強度を保つことができる。
【発明の効果】
【００１１】
この発明は、以上のように構成したことにより、軸方向以外の引っ張り力が加わっても係合を解除することができるので、例えば、携帯電話やＩＤカードなどを首から吊るすネックストラップに採用すれば、首が締め付けられないようにできる。
【発明を実施するための最良の形態】
【００１２】
以下、この発明を実施するための最良の形態を図面に基づいて説明する。
【００１３】
図１（ａ）に示すように、この形態の連結部材は、直方体の一方にストラップを取り付ける係止部１２を形成した樹脂製の雄部材１０と雌部材１１とから成っている。
【００１４】
前記係止部１２は、図１（ａ）、（ｂ）のように、直方体の一端を切り欠いて軸１２´を形成したもので、例えば、この軸１２´に図示はしていないがストラップを取り付ける。すなわち、前記軸１２´にストラップを通して折り返し、重ねて逢着することで取り付けられる。
【００１５】
雄部材１０は、係止部１２を形成した面と対向する他方の面に、Ｕ字に形成された舌状の突片１３を有しており、その突片１３の両側には段部１４を形成してある。また、前記突片１３の両面には、それぞれ、半球形の突起１５が設けてある。前記突起１５は、突片１３の中程、すなわち、幅方向と長さ方向の中程に設けてある。
【００１６】
一方、雌部材１１は、係止部１２と対向する他方の面に嵌合穴１６を有している。前記嵌合穴１６は断面形状が長方形をした雄部材１０の突片１３を嵌入するためのもので、図１（ｂ）のように、前記突片１３を嵌めると、突片１３の段部１４がピタット嵌まり、ガタを抑えるようにしてある。また、この嵌合穴１６には、突片１３の突起１５が嵌まる係止孔１７が設けてある。前記係止孔１７は貫通孔で、図１（ａ）、（ｂ）のように、雌部材１１の直方体の両方の面（長手側）に設けられている。
【００１７】
この形態は、上記のように構成されており、この連結部材の雄部材１０と雌部材１１は、例えば、図２のように、ストラップＳに取り付けて携帯電話１８やＩＤカード（図示せず）を首から吊るすネックストラップなどに使用する。このように、ネックストラップに使用する雄部材１０と雌部材１１を連結する場合は、雌部材１１の嵌合穴１６に雄部材１０の突片１３を嵌入する。すると、嵌入した突片１３の突起１５が穴を広げながら進出し、係止孔１７へ嵌まる。このとき、嵌入した突片１３の段部１４が嵌合穴１６に嵌まり、ガタを抑えてピタット納まる。この状態で連結ができたので、図２に示すように、ネックストラップとして使用できる。
【００１８】
一方、このように連結された雄部材１０と雌部材１１が、軸方向に引っ張られた場合は、係止孔１７と係合した突起１５が、所定の引っ張り力に達すると、引っ張り力に抗することができなくなって外れる。このとき、突起１５は半球形のため係止孔１７の縁などに引っ掛からずにスルリと外れる。
【００１９】
また、雄部材１０と雌部材１１の係合を折り曲げようとするような、例えば、所定の横方向の引っ張り力が加えられた場合は、図３（ａ）から（ｂ）に示すように、雄部材１０の端部と嵌合穴１６の開口端とが支点となって旋回を開始する。その際、前記雄部材１０の突片１３は、先端をＵ字状にしたことにより、嵌合穴１６の内壁に当たらないので、旋回を妨げない。また、こうして、突片１３が旋回し始めると、所定の力に達したところで、突片１３の半球形の突起１５が嵌合穴１６の係止孔１７から外れて図３（ｃ）のように、係合を解除する。
【００２０】
このように、軸方向、横方向の所定の引っ張り力に対して係合を解除することができる。そのため、例えば、ネックストラップに適用すれば、工場などで機械に携帯電話を引っ掛けるようなことがあっても、安全に首が締め付けられるのを未然に防ぐことができる。
【００２１】
なお、実施形態中の「所定の力」とは首が絞まらない程度の力のことで、実験や経験などによって決められるものである。また、連結部材の外れる「所定の力」の設定は、使用材料の選択、半球形の突起の大きさなどの形状の設計で最適なものを選択する。
【図面の簡単な説明】
【００２２】
【図１】（ａ）、（ｂ）実施形態の斜視図
【図２】実施形態の作用説明図
【図３】（ａ）、（ｂ）、（ｃ）実施形態の作用説明図
【図４】（ａ）、（ｂ）従来例の作用説明図
【符号の説明】
【００２３】
１０  雄部材
１１  雌部材
１２  係止部
１３  突片
１４  段部
１５  突起
１６  嵌合穴
１７  係止孔
【図１】
2008029470.tif 000003
【図２】
2008029470.tif 000004
【図３】
2008029470.tif 000005
【図４】
2008029470.tif 000006